(57)【要約】【課題】２段以上に積み重ねる場合でも揺れによる崩れ落ちを防止できる廃棄物収納用コンクリート容器を提供する。【解決手段】廃棄物収納用コンクリート容器１０は、上面開口の収納空間１１ａを有する容器本体１１と、該容器本体１１の上面に固定されて収納空間１１ａを密封する蓋１２とを備え、相互の凹凸嵌合を可能とした凸部１１ｄと凹部１２ｄのうちの凸部１１ｄが容器本体１１の下面に形成され、凹部１２ｄが蓋１２の上面に形成されている。【選択図】図１
2013116785.tif 000002
【特許請求の範囲】
【請求項１】
上面開口の収納空間を有する容器本体と、該容器本体の上面に固定されて収納空間を密封する蓋とを備えた略直方体形状の廃棄物収容用コンクリート容器において、
相互の凹凸嵌合を可能とした凸部と凹部の一方が前記容器本体の下面と前記蓋の上面の一方に形成され、他方が前記容器本体の下面と前記蓋の上面の他方に形成されている、
ことを特徴とする廃棄物収容用コンクリート容器。
【請求項２】
盛土材によって形作られた堤防や擁壁等の構造物において、
前記盛土材の一部として、請求項１に記載の容器本体の収納空間に廃棄物を収納して該容器本体に蓋を固定して作製された廃棄物収納済みコンクリート容器が代用されている、
ことを特徴とする廃棄物収納済みコンクリート容器を用いて構築された構造物。
【発明の詳細な説明】
【技術分野】
【０００１】
本発明は、廃棄物を収納するのに適したコンクリート容器と、該コンクリート容器に廃棄物を収納したもの（廃棄物収納済みコンクリート容器）を用いて構築された構造物に関する。
【背景技術】
【０００２】
特許文献１には、略直方体形状のコンクリート製の容器本体と、容器本体の収納空間に収納された固化体（廃棄物を固化材で処理したもの）の上にコンクリートの後打ちによって設けられた蓋とを備える廃棄物収納容器が開示されている。この廃棄物収納容器は、容器本体が略直方体形状であるが故に、平面的に並べたときにドラム缶のような隙間が隣接容器間に生じることを防止できる利点がある。
【０００３】
ところで、前記廃棄物収納容器を２段以上に積み重ねる場合、上側の廃棄物収納容器は容器本体の下面に設けられた脚部を、下側の廃棄物収納容器の容器本体の上面及び蓋の上面に載置されることになる。しかしながら、容器本体の上面及び蓋の上面は平坦であるため、地震等に基づく揺れによって２段目以降の廃棄物収納容器が崩れ落ちる生じる恐れがある。
【先行技術文献】
【特許文献】
【０００４】
【特許文献１】特開平１０−２９７７０３号公報
【発明の概要】
【発明が解決しようとする課題】
【０００５】
本発明の第１の目的は、２段以上に積み重ねる場合でも揺れによる崩れ落ちを防止できる廃棄物収納用コンクリート容器を提供することにある。本発明の第２の目的は、この廃棄物収納用コンクリート容器に廃棄物を収納したもの（廃棄物収納済みコンクリート容器）を用いて構築された構造物を提供することにある。
【課題を解決するための手段】
【０００６】
前記第１の目的を達成するため、本発明（廃棄物収納用コンクリート容器）は、上面開口の収納空間を有する容器本体と、該容器本体の上面に固定されて収納空間を密封する蓋とを備えた略直方体形状の廃棄物収容用コンクリート容器において、相互の凹凸嵌合を可能とした凸部と凹部の一方が前記容器本体の下面と前記蓋の上面の一方に形成され、他方が前記容器本体の下面と前記蓋の上面の他方に形成されている、ことをその特徴とする。
【０００７】
前記第２の目的を達成するため、本発明（廃棄物収納済みコンクリート容器を用いて構築された構造物）は、盛土材によって形作られた堤防や擁壁等の構造物において、前記盛土材の一部として、請求項１に記載の容器本体の収納空間に廃棄物を収納して該容器本体に蓋を固定して作製された廃棄物収納済みコンクリート容器が代用されている、ことをその特徴とする。
【発明の効果】
【０００８】
本発明（廃棄物収納用コンクリート容器）によれば、容器本体の収納空間に廃棄物を収納して該容器本体に蓋を固定することによって、略直方体形状の廃棄物収納済みコンクリート容器を簡単に作製することができる。また、この廃棄物収納済みコンクリート容器は、相互の凹凸嵌合を可能とした凸部と凹部の一方を下面と上面の一方に有し、他方を前記容器本体の下面と前記蓋の上面の他方に有するものであるため、２段以上の積み重ねを凹凸嵌合下で行うことができる。即ち、廃棄物収納用コンクリート容器によって作製された廃棄物収納済みコンクリート容器は凹凸嵌合下で２段以上の積み重ねが行えるため、地震等に基づく揺れによって２段目以降の廃棄物収納済みコンクリート容器が崩れ落ちて事故を生じる恐れを防止することができる。
【０００９】
また、本発明（廃棄物収納済みコンクリート容器を用いて構築された構造物）によれば、盛土材によって形作られた構造物における該盛土材の一部として、廃棄物収納済みコンクリート容器が代用されているので、構造物に使用する盛土材の量を削減することができると共に、廃棄物の有効利用を図ることができる。
【００１０】
本発明の前記目的とそれ以外の目的と、構成特徴と、作用効果は、以下の説明と添付図面によって明らかとなる。
【図面の簡単な説明】
【００１１】
【図１】図１は、廃棄物収納用コンクリート容器の分解斜視図である。
【図２】図２（Ａ）〜図２（Ｄ）は、図１に示した容器本体の上面図、下面図、長さ方向側面図、幅方向側面である。
【図３】図３（Ａ）〜図３（Ｄ）は、図１に示した蓋の上面図、下面図、長さ方向側面図、幅方向側面である。
【図４】図４（Ａ）及び図４（Ｂ）は、廃棄物収納済みコンクリート容器の作製方法の説明図である。
【図５】図５は、廃棄物収納済みコンクリート容器の積み重ね例を示す図である。
【図６】図６は、廃棄物収納済みコンクリート容器の他の積み重ね例を示す図である。
【図７】図７は、廃棄物収納済みコンクリート容器のさらに他の積み重ね例を示す図である。
【図８】図８は、廃棄物収納済みコンクリート容器を用いて構築された構造物の一例を示す図である。
【図９】図９は、廃棄物収納済みコンクリート容器を用いて構築された構造物の他の例を示す図である。
【図１０】図１０は、図１に示した容器本体及び蓋の変形例を示す図である。
【図１１】図１１は、図１に示した容器本体及び蓋の他の変形例を示す図である。
【発明を実施するための形態】
【００１２】
《廃棄物収納用コンクリート容器の構造》
図１に示した廃棄物収納用コンクリート容器１０（以下、単にコンクリート容器１０と言う）は、コンクリート製の容器本体１１と、コンクリート製の蓋１２と、蓋１２を容器本体１１の上面に固定するための４本のボルト１３とを備えている。
【００１３】
図２（Ａ）〜図２（Ｄ）にも示したように、容器本体１１は略直方体形状であり、その形状を規定する長さＬ11と幅Ｗ11と高さＨ11は長さＬ11＞高さＨ11＞幅Ｗ11の関係を有していて、該幅Ｗ11は長さＬ11の略１／２となっている。具体的な数値例を挙げれば、前記長さＬ11は３０００ｍｍ、前記幅Ｗ11は１５００ｍｍ、前記高さＨ11は１２７０ｍｍである。
【００１４】
この容器本体１１の内側には、該容器本体１１の上面において開口した略直方体形状の収納空間１１ａが形成されている。また、容器本体１１の上面のうちの長さ方向に沿う２つの部分の略中央と幅方向に沿う２つの部分の略中央には、それぞれ１個のＹインサート１１ｂ（異形鉄筋に内ネジ加工を施し、且つ、付着力増加用のＹ状フックを設けたもの）が埋設されている。各Ｙインサート１１ｂの上端は、容器本体１１の上面と略面一である。さらに、容器本体１１の上面のうちの長さ方向に沿う２つの部分には、Ｙインサート１１ｂの長さ方向両側に略等間隔で位置するようにして、それぞれ２個のリフトアンカー１１ｃが埋設されている。容器１１の上面には各リフトアンカー１１ｃに対応して半球状ザグリ（符号無し）が形成されているため、各リフトアンカー１１ｃの上端鍔に吊り上げ用のリフトカップラーを容易に係合できる。図示を省略したが、容器本体１１の上面には、蓋１２の下面に接触し得る密封用ゴムパッキンが矩形枠状に設けられている。
【００１５】
さらに、容器本体１１の下面には、下面視輪郭が略正方形を成す計８個の凸部１１ｄが該容器本体１１と一体に形成されている。各凸部１１ｄの形状を規定する長さＬ11dと幅Ｗ11dと高さＨ11dは長さＬ11d≒幅Ｗ11d＞高さＨ11dの関係を有している。さらに、長さ方向で隣接する凸部１１ｄの間隔ＣL11は各々が略同じであり、幅方向で隣接する凸部１１ｄの間隔ＣW11は間隔ＣL11と略同じである。さらに、長さ方向両側の凸部１１ｄと容器本体１１の下面の長さ方向両端との間隔ＣL11Sは各々が略同じであり、該間隔ＣL11Sは間隔ＣL11の略１／２となっている。さらに、幅方向両側の凸部１１ｄと容器本体１１の下面の幅方向両端との間隔ＣW11Sは各々が間隔ＣL11Sと略同じであり、該間隔ＣW11Sは間隔ＣW11の略１／２となっている。具体的な数値例を挙げれば、前記長さＬ11dと前記幅Ｗ11dは５６０ｍｍ、前記高さＨ11dは５０ｍｍ、前記間隔ＣL11と前記間隔ＣW11は１９０ｍｍ、前記間隔ＣL11Sと前記間隔ＣW11Sは９５ｍｍである。
【００１６】
図３（Ａ）〜図３（Ｄ）にも示したように、蓋１２は略直方体形状であり、その形状を規定する長さＬ12と幅Ｗ12と厚さＴ12は長さＬ12＞幅Ｗ12＞厚さＴ12の関係を有していて、長さＬ12は容器本体１１の長さＬ11と略同じで、幅Ｗ12は容器本体１１の幅Ｗ11と略同じである。具体的な数値例を挙げれば、前記長さＬ12は３０００ｍｍ、前記幅Ｗ12は１５００ｍｍ、前記高さＴ12は２３０ｍｍである。
【００１７】
この蓋１２の下面には、下面視輪郭が容器本体１１の収納空間１１ａの開口の上面視輪郭よりも僅かに小さく、且つ、所定の高さを有する嵌め込み部１２ａが該蓋１２と一体に形成されている。また、蓋１２の外周部のうちの長さ方向に沿う２つの部分の略中央と幅方向に沿う２つの部分の略中央には、容器本体１１の各Ｙインサート１１ｂと整合するように、それぞれ１個のボルト挿通孔１２ｂが形成されている。蓋１２の上面には各ボルト挿通孔１２ｂに対応して角座金付きの直方体状ザグリ１２ｃが形成されており、しかも、各ザグリ１２ｃの深さはボルト１３の頭部の高さ以下に設定されているため、各ボルト挿通孔１２ｂに挿入されたボルト１３を容器本体１１のＹインサート１１ｂのネジ穴にねじ込んだ状態、即ち、容器本体１１の上面に蓋１２を固定した状態において各ボルト１３の頭部は蓋１２の上面から突出しない。
【００１８】
さらに、蓋１２の上面には、上面視輪郭が略正方形を成す計８個の凹部１２ｄが該蓋１２と一体に形成されている。各凹部１２ｄの形状を規定する長さＬ12dと幅Ｗ12dと深さＤ12dは長さＬ12d≒幅Ｗ12d＞深さＤ12dの関係を有している。また、長さ方向で隣接する凹部１２ｄの間隔ＣL12は各々が略同じであり、幅方向で隣接する凹部１２ｄの間隔ＣW12は間隔ＣL12と略同じである。さらに、長さ方向両側の凹部１２ｄと蓋１２の上面の長さ方向両端との間隔ＣL12Sは各々が略同じであり、該間隔ＣL12Sは間隔ＣL12の略１／２となっている。さらに、幅方向両側の凹部１２ｄと容器本体１２の下面の幅方向両端との間隔ＣW12Sは各々が間隔ＣL12Sと同じであり、該間隔ＣW12Sは間隔ＣW12の略１／２となっている。具体的な数値例を挙げれば、前記長さＬ12dと前記幅Ｗ12dは６００ｍｍ、前記深さＤ12dは５０ｍｍ、前記間隔ＣL12と前記間隔ＣW12は１５０ｍｍ、前記間隔ＣL12Sと前記間隔ＣW12Sは７５ｍｍである。
【００１９】
この凹部１２ｄの数値例及び前述の凸部１１ｄの数値例から分かるように、蓋１２の各凹部１２ｄの長さＬ12d及び幅Ｗ12dと容器本体１１の各凸部１１ｄの長さＬ11d及び幅Ｗ11dは、廃棄物収納済みコンクリート容器１０’（図４（Ｂ）を参照）を積み重ねたときにおける相互の凹凸嵌合を可能とするために、各凹部１２ｄの長さＬ12d及び幅Ｗ12dが各凸部１１ｄの長さＬ11d及び幅Ｗ11dよりも大きく設定されている。勿論、各凹部１２ｄの長さＬ12d及び幅Ｗ12dを各凸部１１ｄの長さＬ11d及び幅Ｗ11dに近い数値に設定しても、各凹部１２ｄの深さＤ12dを各凸部１１ｄの高さＨ11dよりも僅かに大きく設定しても、各凸部１１ｄの４側面に勾配を付けて断面形状が略台形となるようにしても、所期の凹凸嵌合は十分に可能である。
【００２０】
さらに、蓋１２の幅方向両側には、容器本体１１の各リフトアンカー１１ｃと整合するように、それぞれ２個の切り欠き１２ｅが形成されている。各切り欠き１２ｅの上面視輪郭は略長方形を成し、容器本体１１の上面に蓋１２を固定した状態において容器本体１１の各リフトアンカー１１ｃは切り欠き１２ｅを通じて露出する。
【００２１】
《廃棄物収納済みコンクリート容器の作製方法》
前記コンクリート容器１０を利用して廃棄物収納済みコンクリート容器１０’を作製するときには、先ず、図４（Ａ）に示したように、容器本体１１の収納空間１１ａにその開口を通じて廃棄物ＷＡを収納する。この廃棄物ＷＡには例えば汚泥、プラスチック類、各種くず、がれき類等が挙げられるが、その種類に特段の制限は無い。そして、図４（Ｂ）に示したように、容器本体１１の上面に蓋１２を位置合わせしながら載置して、嵌め込み部１２ａを収納空間１１ａの上端部分に嵌め込む。そして、蓋１２の各ボルト挿通孔１２ｂにボルト１３を挿入し、各ボルト１３を容器本体１１のＹインサート１１ｂのネジ穴にねじ込む。これにより、蓋１２の下面が容器本体１１の上面にゴムパッキンを介して圧接して収納空間１１ａが密封されると共に容器本体１１の上面に蓋１２が固定される。
【００２２】
このようにして作製された廃棄物収納済みコンクリート容器１０’の全体形状は略直方体形状であり、その形状を規定する長さは前記長さＬ11（Ｌ12）に等しく、幅は前記幅Ｗ11（Ｗ12）に等しく、高さは前記高さＨ11に前記厚さＴ12を加算した値に略等しい。この廃棄物収納済みコンクリート容器１０’はかなりの重量物であるため、後述の積み重ねは、蓋１２の各切り欠き１２ｅを通じて容器本体１１のリフトアンカー１１ｃの上端鍔にワイヤー付きのリフトカップラーを係合し、該ワイヤーの集束端をクレーンにより持ち上げて廃棄物収納済みコンクリート容器１０’を適宜移動させることによって行われる。
【００２３】
《廃棄物収納済みコンクリート容器の積み重ね例》
図４（Ｂ）に示した廃棄物収納済みコンクリート容器１０’を２段以上に積み重ねた場合の態様は、該態様を前後方向に沿う断面とした観た場合に、（１）前側と後側の両方が斜面近似面となるような積み重ね態様、（２）前側と後側の一方が垂直面或いはその近似面となり他方が斜面近似面となるような積み重ね態様、（３）前側と後側の両方が垂直面或いはその近似面となるような積み重ね態様、に大別できる。
【００２４】
図５は積み重ね態様（１）に対応した積み重ね例の縦断面であり、実際の積み重ね物は断面と直交する方向に連続している。図５の左側を前、右側を後として説明すると、１〜６段目には２個以上の廃棄物収納済みコンクリート容器１０’が９０度異なる向きで交互に並べられており、１〜５段目の最も前側の凹部１２ｄと最も後側の凹部１２ｄが露出するように、且つ、２段目以降の各段を構成する廃棄物収納済みコンクリート容器１０’がその下側の段の廃棄物収納済みコンクリート容器１０’に対して断面と直交する方向に少なくとも凹凸嵌合１個分ずれるように凹凸嵌合下で積み重ねられている。即ち、２段目以降の各段を構成する廃棄物収納済みコンクリート容器１０’はその下面の凸部１１ｄをその下側の段の２個以上の廃棄物収納済みコンクリート容器１０’の上面の凹部１２ｄに嵌合していて、該凹凸嵌合によってその３次元位置が保持されている。要するに、この積み重ね物は揺れに対して優れた耐久力を有しており、２段目以降の廃棄物収納済みコンクリート容器１０’は揺れによる崩れ落ちを生じ難い。
【００２５】
図６は積み重ね態様（２）に対応した積み重ね例の縦断面図であり、実際の積み重ね物は断面と直交する方向に連続している。図６の左側を前、右側を後として説明すると、１、３、５段目には２個以上の廃棄物収納済みコンクリート容器１０’が同一向きで並べられ、２、４、６段目には２個以上の廃棄物収納済みコンクリート容器１０’がその内の１個の向きが９０度異なるように並べられており、１〜５段目の最も後側の凹部１２ｄが露出するように、且つ、２段目以降の各段を構成する廃棄物収納済みコンクリート容器１０’がその下側の段の廃棄物収納済みコンクリート容器１０’に対して断面と直交する方向に少なくとも凹凸嵌合１個分ずれるように凹凸嵌合下で積み重ねられている。即ち、２段目以降の各段を構成する廃棄物収納済みコンクリート容器１０’はその下面の凸部１１ｄをその下側の段の２個以上の廃棄物収納済みコンクリート容器１０’の上面の凹部１２ｄに嵌合していて、該凹凸嵌合によってその３次元位置が保持されている。要するに、この積み重ね物は揺れに対して優れた耐久力を有しており、２段目以降の廃棄物収納済みコンクリート容器１０’は揺れによる崩れ落ちを生じ難い。
【００２６】
図７は積み重ね態様（３）に対応した積み重ね例の縦断面図であり、実際の積み重ね物は断面と直交する方向に連続している。図７の左側を前、右側を後として説明すると、１、３、５段目には４個の廃棄物収納済みコンクリート容器１０’が同一向きで並べられ、２、４、６段目には５個の廃棄物収納済みコンクリート容器１０’がその内の２個の向きが９０度異なるように並べられており、２段目以降の各段を構成する廃棄物収納済みコンクリート容器１０’がその下側の段の廃棄物収納済みコンクリート容器１０’に対して断面と直交する方向に少なくとも凹凸嵌合１個分ずれるように凹凸嵌合下で積み重ねられている。即ち、２段目以降の各段を構成する廃棄物収納済みコンクリート容器１０’はその下面の凸部１１ｄをその下側の段の２個以上の廃棄物収納済みコンクリート容器１０’の上面の凹部１２ｄに嵌合していて、該凹凸嵌合によってその３次元位置が保持されている。要するに、この積み重ね物は揺れに対して優れた耐久力を有しており、２段目以降の廃棄物収納済みコンクリート容器１０’は揺れによる崩れ落ちを生じ難い。
【００２７】
図５〜図７は積み重ね態様（１）〜（３）それぞれの一例であり、図４（Ｂ）に示した廃棄物収納済みコンクリート容器１０’であれば、他の積み重ね方を採用しても積み重ね態様（１）〜（３）に対応した積み重ね物を得ることができる。
【００２８】
《廃棄物収納済みコンクリート容器を用いて構築された構造物》
図４（Ｂ）に示した廃棄物収納済みコンクリート容器１０’は、前欄で述べた様に２段以上の種々態様の積み重ねが凹凸嵌合下で行え、しかも、該積み重ね物は揺れに対して優れた耐久力を有しているため、土砂や裏込め材等の盛土材によって形作られた堤防や擁壁等の構造物における該盛土材の代用物として極めて適している。
【００２９】
図８は廃棄物収納済みコンクリート容器１０’を用いて構築された構造物の一例を示す堤防ＳＴ１の縦断面図であり、廃棄物収納済みコンクリート容器１０’は該堤防ＳＴ１を形作る盛土材ＢＭの一部として代用されている。図８の左側を前、右側を後として説明すると、廃棄物収納済みコンクリート容器１０’は図５に示した積み重ね例に準じて基礎ＢＡ上に積み重ねられており、該積み重ね物の上面と前側の斜面近似面と後側の斜面近似面は盛土材ＢＭによって覆われ、該盛土材ＢＭは護岸ブロックＳＰＢによって覆われている。
【００３０】
図９は廃棄物収納済みコンクリート容器１０’を用いて構築された構造物の他の例を示す擁壁ＳＴ２の縦断面図であり、廃棄物収納済みコンクリート容器１０’は該擁壁ＳＴ２を形作る盛土ＢＭの一部として代用されている。図９の左側を前、右側を後として説明すると、擁壁ブロックＲＷＢは基礎ＢＡ上に並設され、且つ、廃棄物収納済みコンクリート容器１０’は図６に示した積み重ね例に準じて基礎ＢＡ上の擁壁ブロックＲＷＢの後側にに積み重ねられており、該積み重ね物はその上面及び後側の斜面近似面を盛土材ＢＭによって覆われている。
【００３１】
《廃棄物収納用コンクリート容器によって得られる効果》
（１）廃棄物収納用コンクリート容器１０の容器本体１１の収納空間１１ａに廃棄物ＷＡを収納した後、該容器本体１１の上面にボルト１３を用いて蓋１２を固定することによって、略直方体形状の廃棄物収納済みコンクリート容器１０’を簡単に作製することができる。
【００３２】
（２）廃棄物収納用コンクリート容器１０によって作製された廃棄物収納済みコンクリート容器１０’は、相互の凹凸嵌合を可能とした凸部１１ｄと凹部１２ｄのうちの凸部１１ｄを下面に有し凹部１２ｄを上面に有するものであるため、２段以上の積み重ねを凹凸嵌合下で行うことができる。即ち、廃棄物収納用コンクリート容器１０によって作製された廃棄物収納済みコンクリート容器１０’は凹凸嵌合下で２段以上の積み重ねが行えるため、地震等に基づく揺れによって２段目以降の廃棄物収納済みコンクリート容器１０’が崩れ落ちて事故を生じる恐れを防止することができる。
【００３３】
（３）廃棄物収納用コンクリート容器１０の容器本体１１の凹部１１ｄの数及び形状と蓋１２の凸部１２ｄの数及び形状に工夫が施されているため、該廃棄物収納用コンクリート容器１０によって作製された廃棄物収納済みコンクリート容器１０’を２段以上に積み重ねる場合において種々の積み重ね態様を実現することができる。しかも、２段目以降の各段を構成する廃棄物収納済みコンクリート容器１０’の下面の凸部１１ｄをその下側の段の２個以上の廃棄物収納済みコンクリート容器１０’の上面の凹部１２ｄに嵌合させることによって２段目以降の各段を構成する廃棄物収納済みコンクリート容器１０’の３次元位置を保持することができるため、揺れに対して優れた耐久力を有する積み重ね物を得ることができる。
【００３４】
《廃棄物収納済みコンクリート容器を用いて構築された構造物によって得られる効果》
（１）盛土材ＢＭによって形作られた構造物（堤防ＳＴ１、擁壁ＳＴ２）における該盛土材ＢＭの一部として、廃棄物収納済みコンクリート容器１０’の積み重ね物が代用されているので、構造物に使用する盛土材ＢＭの量を削減することができると共に、廃棄物ＷＡの有効利用を図ることができる。
【００３５】
（２）廃棄物収納済みコンクリート容器１０’は２段以上に積み重ねる場合において種々の積み重ね態様を実現することができ、しかも、該積み重ね物は揺れに対して優れた耐久力を有しているため、構造物の大きさや形状に拘わらず該積み重ね物を盛土材ＢＭの一部として代用することができると共に、構造物の揺れに対する耐久力の向上に貢献することができる。
【００３６】
《廃棄物収納用コンクリート容器の変形例》
（１）廃棄物収納用コンクリート容器１０として、相互の凹凸嵌合を可能とした計８個の凸部１１ｄがその下面に形成された容器本体１１と計８個の凹部１２ｄがその上面に形成された蓋１２を例示したが、図１０（Ａ）及び図１０（Ｂ）に示したように、相互の凹凸嵌合を可能とした計２個の凸部１１ｄ’を容器本体１１の下面に形成し計２個の凹部１２ｄ’を蓋１２の上面に形成しても、廃棄物収納用コンクリート容器１０として前記同様の効果を得ることができる。
【００３７】
この場合における容器本体１１の各凸部１１ｄ’の形状を規定する長さＬ11d'と幅Ｗ11d’と高さＨ11dは長さＬ11d’≒幅Ｗ11d’＞高さＨ11dの関係を有しており、長さ方向で隣接する凸部１１ｄの間隔ＣL11'は、長さ方向両側の凸部１１ｄ’と容器本体１１の下面の長さ方向両端との間隔ＣL11S'の略２倍であり、凸部１１ｄ’と容器本体１１の下面の幅方向両端との間隔ＣW11S'は各々が間隔ＣL11S'と略同じである。また、蓋１２の各凹部１１２ｄ’の形状を規定する長さＬ12d'と幅Ｗ12d'と深さＤ12dは長さＬ12d≒幅Ｗ12d＞深さＤ12dの関係を有しており、長さ方向で隣接する凹部１２ｄ’の間隔ＣL12'は、長さ方向両側の凹部１２ｄ’と蓋１２の上面の長さ方向両端との間隔ＣL12S'の略２倍であり、凹部１２ｄ’と蓋１２の上面の幅方向両端との間隔ＣW12S'は各々が間隔ＣL12S'と略同じである。
【００３８】
図示を省略したが、容器本体１１の下面に形成される凸部と蓋１２の上面に形成される凹部の数を計３個〜計７個、或いは、計９個以上としても、８個の場合並びに２個の場合に準じた寸法関係を設定すれば、廃棄物収納用コンクリート容器１０として前記同様の効果を得ることができる。
【００３９】
（２）廃棄物収納用コンクリート容器１０として、相互の凹凸嵌合を可能とした計８個の凸部１１ｄその下面に形成された容器本体１１と計８個の凹部１２ｄがその上面に形成された蓋１２を例示したが、図１１（Ａ）及び図１１（Ｂ）に示したように、凹部１２ｄと同じ凹部１１ｅを容器本体１１の下面に形成し、凸部１１ｄと同じ凸部１２ｆを蓋１２の上面に形成しても、さらに前記のように凹部及び凸部の数を変更しても、廃棄物収納用コンクリート容器１０として前記同様の効果を得ることができる。
【００４０】
（３）廃棄物収納用コンクリート容器１０として、蓋１２の下面を容器本体１１の上面にゴムパッキンを介して圧接して収納空間１１ａを密封した構造を例示したが、ゴムパッキンの代わりにコーキング材を用いて密封を行っても良いし、ゴムパッキンとコーキング材を併用して密封を行っても良い。
【００４１】
（４）廃棄物収納用コンクリート容器１０として、収納空間１１ａに収納される廃棄物ＷＡが該収納空間１１ａの内面（コンクリート面）に接触する構造を例示したが、廃棄物ＷＡが有害な水分を含む場合や水に溶解する有害成分を含む場合には、収納空間１１ａの内面全体に不透水シート（遮水シート）を貼り付けるようにしても良い。また、廃棄物ＷＡが安全基準よりも低い放射性物質を含む場合には、必要に応じて収納空間１１ａの内面全体に不透水シート（遮水シート）を貼り付けた上で、該収納空間１１ａの内面全体と該収納空間１１ａと向き合う蓋１２の下面に鉛板等の金属板を貼り付けても良い。
【００４２】
《廃棄物収納済みコンクリート容器を用いて構築された構造物の変形例》
（１）廃棄物収納済みコンクリート容器１０’を用いて構築された構造物として、堤防ＳＴ１と擁壁ＳＴ１を例示したが、盛土材によって形作られた構造物であれば、廃棄物収納済みコンクリート容器１０’及びその積み重ね物を盛土材の一部として代用することによって、構造物として前記同様の効果を得ることができる。
【符号の説明】
【００４３】
１０…廃棄物収納用コンクリート容器、１１…容器本体、１１ａ…収納空間、１１ｄ，１１ｄ’，１２ｆ…凸部、１２…蓋、１２ｄ，１２ｄ’，１１ｅ…凹部、１３…ボルト、１０’…廃棄物収納済みコンクリート容器、ＷＡ…廃棄物、ＳＴ１…堤防、ＳＴ２…擁壁、ＢＭ…盛土材。
【図１】
2013116785.tif 000003
【図２】
2013116785.tif 000004
【図３】
2013116785.tif 000005
【図４】
2013116785.tif 000006
【図５】
2013116785.tif 000007
【図６】
2013116785.tif 000008
【図７】
2013116785.tif 000009
【図８】
2013116785.tif 000010
【図９】
2013116785.tif 000011
【図１０】
2013116785.tif 000012
【図１１】
2013116785.tif 000013